(57)【要約】【課題】ＨＦＯ１１２３を含む作動媒体を用いた冷凍サイクル装置の信頼性を高める。【解決手段】１，１，２−トリフルオロエチレンを含む作動媒体を封入した冷凍サイクル装置において、圧縮機は電動機部１６２と圧縮機構部１６３と潤滑油とを密閉容器１６１内に含み、前記電動機部は固定子１６７と固定子巻線１７０とを有し、前記固定子巻線のコイルエンド１７０ａを樹脂材で被覆した構成としている。これにより、コイルエンド１７０ａへの作用媒体の浸入を防ぐことができ、電動機部１６２が異常に発熱して固定子巻線１７０のコイルエンド１７０ａでレイヤーショートが生じても、コイルエンド１７０ａに作用媒体が介在しないため不均化反応の発生を防止することができる。よって、１，１，２−トリフルオロエチレンを含む作動媒体を封入した冷凍サイクル装置の信頼性を向上させることができる。【選択図】図２
2020188640.tif 000002
【特許請求の範囲】
【請求項１】
圧縮機と、凝縮器と、膨張手段と、蒸発器とを接続して構成した冷凍サイクル回路に１，１，２−トリフルオロエチレンを含む作動媒体を封入した冷凍サイクル装置であって、前記圧縮機は電動機部と圧縮機構部と潤滑油とを密閉容器内に含み、前記電動機部は固定子と固定子巻線とを有し、前記固定子巻線のコイルエンドを樹脂材で被覆したことを特徴とする冷凍サイクル装置。
【請求項２】
前記樹脂材は、熱収縮フィルムであり、前記コイルエンドを被覆する構成としたことを特徴とする請求項１記載の冷凍サイクル装置。
【請求項３】
前記樹脂材は、ディッピング樹脂であり、前記コイルエンドに樹脂をディッピング加工したことを特徴とする請求項１記載の冷凍サイクル装置。
【請求項４】
前記樹脂材は、樹脂を主成分とするワニスであり、前記コイルエンドにワニスを含浸したことを特徴とする請求項１または３のいずれか１項に記載の冷凍サイクル装置。
【請求項５】
前記樹脂材は、耐熱性の絶縁樹脂であることを特徴とする請求項１〜４のいずれか１項に記載の冷凍サイクル装置。
【発明の詳細な説明】
【技術分野】
【０００１】
本発明は、ＨＦＯ１１２３を含む作動媒体を用いる冷凍サイクル装置に関する。
【背景技術】
【０００２】
一般に、冷凍サイクル装置は、圧縮機、必要に応じて四方弁、放熱器（または凝縮器）、キャピラリーチューブや膨張弁等の膨張手段、蒸発器、等を配管接続して冷凍サイクルを構成し、その内部に冷凍サイクル用作動媒体（冷媒または熱媒体）を循環させることにより、冷却または加熱作用を行っている。
【０００３】
これらの冷凍サイクル装置における冷凍サイクル用作動媒体（以下、単に作動媒体と称す）としては、フロン類（フロン類はＲ○○またはＲ○○○と記すことが、米国ＡＳＨＲＡＥ３４規格により規定されている。以下、Ｒ○○またはＲ○○○と示す）と呼ばれるメタンまたはエタンから誘導されたハロゲン化炭化水素が知られている。
【０００４】
上記のような冷凍サイクル装置用作動媒体としては、Ｒ４１０Ａが多く用いられているが、Ｒ４１０Ａ冷媒の地球温暖化係数（ＧＷＰ）は２０９０と大きく、地球温暖化防止の観点から問題がある。
【０００５】
そこで、地球温暖化防止の観点からは、ＧＷＰの小さな冷媒として、例えば、ＨＦＯ１１２３（１，１，２−トリフルオロエチレン）や、ＨＦＯ１１３２（１，２−ジフルオロエチレン）が提案されている（例えば特許文献１または特許文献２）。
【先行技術文献】
【特許文献】
【０００６】
【特許文献１】国際公開第２０１２／１５７７６４号
【特許文献２】国際公開第２０１２／１５７７６５号
【発明の概要】
【発明が解決しようとする課題】
【０００７】
しかしながら、上記ＨＦＯ１１２３（１，１，２−トリフルオロエチレン）や、ＨＦＯ１１３２（１，２−ジフルオロエチレン）は、Ｒ４１０Ａなどの従来の冷媒に比べて安定性が低く、ラジカルを生成した場合、不均化反応により別の化合物に変化する恐れがある。
【０００８】
不均化反応は大きな熱放出を伴うため、圧縮機や冷凍サイクル装置の信頼性を低下させる恐れがある。このため、ＨＦＯ１１２３やＨＦＯ１１３２を圧縮機や冷凍サイクル装置に用いる場合には、この不均化反応を抑制する必要がある。
【０００９】
このような不均化反応は、過度に高温高圧となった雰囲気下、特に圧縮機内にて高温高圧となり、高エネルギが付加されると、これが起点となって発生する。
【００１０】
例えば、一例を挙げると、正常な運転条件下ではない状態、すなわち、凝縮器側の送風ファン停止、冷凍サイクル回路の閉塞等によって、吐出圧力（冷凍サイクルの高圧側）が過度に上昇し、これに伴い温度も過度に上昇する。
【００１１】
このような状態下で圧縮機のロック異常が生じ、このロック異常下においても、圧縮機への電力供給を続けられると、圧縮機の電動機へ電力が過剰に供給され、電動機が異常に発熱する。その結果、電動機の固定子を構成する固定子巻線の絶縁が溶融破壊されて導線同士でレイヤーショートと呼ばれる現象を引き起こし、これが高エネルギ源となって不均化反応を誘起することになる。
【００１２】
そして、一旦、不均化反応が発生すると、連鎖反応により瞬間的に且つ部分的（圧縮機内部）に高い圧力上昇が生じ、圧縮機や冷凍サイクル装置の信頼性を低下させる恐れがある。よって、不均化反応を抑制することが重要である。
【００１３】
本発明は、このような点に鑑みてなしたもので、ＨＦＯ１１２３を含む作動媒体を用いた冷凍サイクル装置の信頼性を向上させることを目的としたものである。
【課題を解決するための手段】
【００１４】
本発明は、上記目的を達成するため、圧縮機と、凝縮器と、膨張手段と、蒸発器とを接続して構成した冷凍サイクル回路に１，１，２−トリフルオロエチレンを含む作動媒体を封入した冷凍サイクル装置において、前記圧縮機は電動機部と圧縮機構部と潤滑油とを密閉容器内に含み、前記電動機部は固定子と固定子巻線とを有し、前記固定子巻線のコイルエンドは樹脂材で被覆した構成としている。
【００１５】
上記構成により、コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【発明の効果】
【００１６】
本発明は、上記構成により、ＨＦＯ１１２３を含む作動媒体を用いた信頼性の高い冷凍サイクル装置を提供することができる。
【図面の簡単な説明】
【００１７】
【図１】本発明の実施の形態１に係る冷凍サイクル装置の概略構成図
【図２】同実施の形態１に係る冷凍サイクル装置に用いた圧縮機の縦断面図
【図３】同実施の形態１に係る冷凍サイクル装置の圧縮機の固定子の斜視図
【図４】同実施の形態１に係る冷凍サイクル装置の圧縮機の固定子の要部断面の拡大斜視図
【図５】本発明の実施の形態２に係る冷凍サイクル装置の圧縮機における固定子の要部拡大断面図
【図６】本発明の実施の形態３に係る冷凍サイクル装置の圧縮機における固定子の要部拡大斜視図
【発明を実施するための形態】
【００１８】
第１の発明は、圧縮機と、凝縮器と、膨張手段と、蒸発器とを接続して構成した冷凍サイクル回路に１，１，２−トリフルオロエチレンを含む作動媒体を封入した冷凍サイクル装置であって、前記圧縮機は電動機部と圧縮機構部と潤滑油とを密閉容器内に含み、前記電動機部は固定子と固定子巻線とを有し、前記固定子巻線のコイルエンドは樹脂材で被覆した構成としている。
【００１９】
これにより、コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００２０】
第２の発明は、第１の発明において、前記樹脂材は、熱収縮フィルムであり、前記コイルエンドを被覆する構成としている。
【００２１】
これにより、コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００２２】
また、熱収縮フィルムでコイルエンドを被覆した構成であり、廉価な部材で不均化反応の発生を防止する効果を得ることができる。
【００２３】
第３の発明は、第１の発明において、前記樹脂材は、ディッピング樹脂であり、コイルエンドに樹脂をディッピング加工している。
【００２４】
コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００２５】
また、ディッピング樹脂は、コイルエンドをディッピング加工した樹脂の被覆であり、その被覆を介して排熱作用を働かせて圧縮機の性能を確保しつつ、不均化反応の発生を防止できる。すなわち、圧縮機性能の確保と不均化反応の発生防止の両立を図り、信頼性を大きく向上させることができる。
【００２６】
第４の発明は、第１または３の発明において、前記樹脂材は、樹脂を主成分とするワニスであり、前記コイルエンドに前記ワニスを含浸している。
【００２７】
コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００２８】
また、ワニスの含浸によりコイルエンドを被覆した構成であり、簡易な工法で不均化反応の発生をより確実に防止することができる。
【００２９】
第５の発明は、第１〜４の発明において、前記樹脂材は、絶縁樹脂であることを特徴とした構成である。
【００３０】
これにより、絶縁部材で被覆されている固定子巻線の絶縁性能を高め、レイヤーショートの発生そのものを抑制する効果が高まり、不均化反応の発生を防止して、信頼性を大きく向上させることができる。
【００３１】
以下、本発明の実施の形態について図面を参照しながら説明する。なお、この実施の形態によって本発明が限定されるものではない。
【００３２】
（実施の形態１）
図１は本発明の実施の形態１に係る冷凍サイクル装置の概略構成図、図２は同冷凍サイクル装置に用いた圧縮機の縦断面図である。
【００３３】
本実施の形態の冷凍サイクル装置１０は、本発明を空気調和機に適用した場合を示し、図１に示すように、室内機１１、室外機１２、並びにこれらを接続する配管１３を備えており、室内機１１は蒸発器或いは凝縮器として使用される熱交換器１４を備え、室外機１２は凝縮器或いは蒸発器として使用される熱交換器１５、圧縮機１６、減圧装置１７、及び制御器１８を備えている。
【００３４】
室内機１１の熱交換器１４と室外機１２の熱交換器１５とは、配管１３で環状に接続され、これにより冷凍サイクルが形成されている。
【００３５】
具体的には、室内機１１の熱交換器１４、圧縮機１６、室外機１２の熱交換器１５、減圧装置１７の順で配管１３により環状に接続されている。また、熱交換器１４、圧縮機１６、および熱交換器１５を接続する配管１３には、冷暖房切換用の四方弁１９が設けられている。なお、室内機１１は、図示しない送風ファン、温度センサ、操作部等を備えており、室外機１２は、図示しない送風機、アキュームレータ等を備えている。さらに、配管１３には、図示しない各種弁装置（四方弁１９も含む）、ストレーナ等が設けられている。
【００３６】
室内機１１が備える熱交換器１４は、送風ファンにより室内機１１の内部に吸い込まれた室内空気と、熱交換器１４の内部を流れる作動媒体との間で熱交換を行う。室内機１１は、暖房時には熱交換により暖められた空気を室内に送風し、冷房時には熱交換により冷却された空気を室内に送風する。室外機１２が備える熱交換器１５は、送風機により室外機１２の内部に吸い込まれた外気と熱交換器１５の内部を流れる作動媒体との間で熱交換を行う。
【００３７】
図２は上記冷凍サイクル回路に用いられる圧縮機１６を示し、この圧縮機１６は、本実施の形態では密閉型のロータリ式圧縮機によって構成されており、密閉容器１６１の内部に、電動機部１６２と圧縮機構部１６３が収納され、内部は高温高圧の作動媒体と潤滑油で満たされ、底部は潤滑油を溜める貯油部１６４となっている。
【００３８】
電動機部（モータ）１６２は、所謂ブラシレス・モータであり、圧縮機構部１６３のクランクシャフト１６５に固定された回転子１６６と、回転子１６６の周囲に設けられた固定子１６７とを備えている。
【００３９】
回転子１６６は、回転子鉄心に永久磁石を装着一体化して構成されている。また、固定子１６７は、固定子鉄心に絶縁紙を介して固定子巻線１７０を分散巻し構成されている。なお、固定子巻線１７０は集中巻きにして構成してもよい。
【００４０】
上記固定子巻線１７０は絶縁部材によって被覆されており、その絶縁は、エナメル或いはエナメルと、例えば、ポリエチレンテレフタレート（ＰＥＴ）、ポリエチレンナフタレート（ＰＥＮ）、アラミドポリマー、ポリフェニレンサルファイド（ＰＰＳ）等々の二重被覆からなっている。
【００４１】
また、固定子巻線１７０からはリード線１７１が引き出されており、リード線１７１の他端は給電ターミナル１７２に接続されている。給電ターミナル１７２は、３つの端子を備え、それぞれの端子は、インバータ式の制御器１８（図１参照）に接続されている。
【００４２】
制御器１８は、外部電源２０（図１参照）から電源供給を受けてスイッチング素子により、回転子１６６に回転磁界が発生するよう固定子巻線１７０に電流を流している。
【００４３】
圧縮機構部１６３は、圧縮室１７３を形成するシリンダ１７４と、シリンダ１７４内の圧縮室１７３に配置したローリングピストン１７５を有している。ローリングピストン１７５は、前記クランクシャフト１６５の回転によりベーン（図示せず）に当接しながら圧縮室内で回転運動し、吸入管１７９から作動媒体を吸引して圧縮する。
【００４４】
圧縮した作動媒体は、吐出マフラー１７６から密閉容器１６１内の容器内空間１７７に吐出され、吐出管１７８から圧縮機構部１６３の外へと吐出される。
【００４５】
なお、この圧縮機構部１６３はシリンダ１７４を上下二段有するものとしているが、これはシリンダ１７４が一段だけのものであってもよいものである。
【００４６】
また、この圧縮機１６は、上記圧縮室１７３での液圧縮を防止するため、吸入管１７９にはアキュームレータ１８０が設けられている。アキュームレータ１８０は、作動媒体を気液分離し、冷媒ガスだけを吸入管１７９に導く。
【００４７】
次に上記冷凍サイクル回路内に封入した作動媒体について説明する。
【００４８】
本冷凍サイクル回路に封入した作動媒体は、冷媒成分として、少なくとも１，１，２−トリフルオロエチレン（ＨＦＯ１１２３）を含有している。１，１，２−トリフルオロエチレンは、次に示す式（１）の構造を有しており、エチレンの１位の炭素原子（Ｃ）に結合する２つの水素原子（Ｈ）がフッ素（Ｆ）に置換されているとともに、２位の炭素原子に結合する２つの水素原子のうち一方がフッ素に置換されている構造を有している。
【００４９】
１，１，２−トリフルオロエチレンは、炭素−炭素二重結合を含む。大気中のオゾンは、光化学反応によってヒドロキシルラジカル（ＯＨラジカル）を生成するが、このヒドロキシルラジカルにより二重結合が分解されやすい。そのため、１，１，２−トリフルオロエチレンは、オゾン層破壊および地球温度化への影響が少ないものとなっている。
【００５０】
しかしながら、１，１，２−トリフルオロエチレンは、この良好な分解性により既述した如く高温高圧条件下でレイヤーショート等の高エネルギが付加されると急激な不均化反応を引き起こす。この不均化反応は、１，１，２−トリフルオロエチレンの分子が分解する自己分解反応が発生するとともに、この自己分解反応に続いて、分解により生じた炭素が重合して煤となる重合反応等が発生する。高温高圧状態においてレイヤーショート等により活性ラジカルが発生すると、この活性ラジカルと１，１，２−トリフルオロエチレンとが反応して前述した不均化反応が発生する。この不均化反応は発熱を伴うことから、この発熱により活性ラジカルが発生し、さらに、この活性ラジカルにより不均化反応が誘発される。このように、活性ラジカルの発生と不均化反応の発生とが連鎖することで、不均化反応が急激に進行する。
【００５１】
そこで、本発明では、図３または図４に示すように、不均化反応の発生源となるレイヤーショートが発生する固定子巻線１７０のコイルエンド１７０ａを樹脂材１８１で被覆した構成としている。
【００５２】
ここで、図３は固定子の斜視図、図４は固定子の要部断面の拡大斜視図である。
【００５３】
図３または４において、固定子巻線１７０のコイルエンド１７０ａは、熱収縮フィルム１８２を用いて被覆した構成で、コイルエンド１７０ａの巻線全体を包み込む状態で覆ってある。
【００５４】
次に上記のように構成した冷凍サイクル装置１０の作用効果について以下説明する。
【００５５】
まず、冷凍サイクル装置の基本的な動作を簡単に説明しておく。冷房運転または除湿運転では、室外機１２の圧縮機１６は作動媒体を圧縮して吐出し、圧縮された作動媒体は四方弁１９を介して室外機１２の熱交換器１５に送出される。熱交換器１５は外気と作動媒体とを熱交換するので、作動媒体は凝縮して液化する。液化した作動媒体は減圧装置１７により減圧され、室内機１１の熱交換器１４に送出される。熱交換器１４では、室内空気との熱交換により作動媒体が蒸発してガス化した作動媒体となる。この作動媒体は、四方弁１９を介して室外機１２の圧縮機１６に戻る。圧縮機１６は作動媒体を圧縮して四方弁１９を介して再び熱交換器１５に吐出する。
【００５６】
また、暖房運転では、室外機１２の圧縮機１６は作動媒体を圧縮して吐出し、これにより作動媒体は四方弁１９を介して室内機１１の熱交換器１４に送出される。熱交換器１４では、室内空気との熱交換により作動媒体が凝縮して液化する。液化した作動媒体は、減圧装置１７により減圧されて気液二相媒体となり、室外機１２の熱交換器１５に送出される。熱交換器１５は外気と気液二相媒体とを熱交換するので、気液二相媒体は蒸発してガス化した作動媒体となり、圧縮機１６に戻る。圧縮機１６はガス化した作動媒体を圧縮して四方弁１９を介して再び室内機１１の熱交換器１４に吐出する。
【００５７】
ここで、上記運転中、例えば、凝縮器側の送風ファン停止、冷凍サイクル回路の閉塞等が生じると、作動媒体の吐出圧力（冷凍サイクルの高圧側）が過度に上昇する。これに伴い圧縮機１６内の温度が大きく上昇し、ついには固定子巻線１７０の絶縁が破壊されてコイルエンド１７０ａでレイヤーショートが発生する。
【００５８】
しかし、本発明の実施の形態では、熱収縮フィルム１８２でコイルエンド１７０ａを被覆した構成であり、熱収縮フィルム１８２の内部への作用媒体の浸入を防ぐことができ、これにより電動機部１６２が異常に発熱して固定子巻線１７０のコイルエンド１７０ａでレイヤーショートが生じても、コイルエンド１７０ａ上のレイヤーショートが発生した部位に作用媒体が存在することがないため、レイヤーショートによる高エネルギー源が作用媒体と接触せず、不均化反応の発生を防止することができる。また、熱収縮フィルム１８２でコイルエンド１７０ａを被覆した構成であり、廉価な部材で不均化反応の発生を防止する効果を得ることができる。
【００５９】
（実施の形態２）
図５は固定子の要部斜視図である。
【００６０】
本発明の実施の形態は、図５に示すように、コイルエンド１７０ａを液状の絶縁樹脂の中に浸漬してコーティングする工法で、ディッピング樹脂１８３をコイルエンド１７０ａに被覆した構成としたものである。
【００６１】
本発明の実施の形態では、実施の形態１と同様に、コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００６２】
特に本実施の形態では、コイルエンド１７０ａをディッピング樹脂１８３で被覆したものであり、その被覆は熱伝達率が高いものであるので、これを介してコイルの発生する熱に対する排熱作用を働かせて圧縮機の性能を確保しつつ、不均化反応の発生を防止できる。すなわち、圧縮機性能の確保と不均化反応の発生防止の両立を図り、信頼性を大きく向上させることができる。
【００６３】
なお、上記以外の構成及び作用効果は実施の形態１と同様であり、説明は省略する。
【００６４】
（実施の形態３）
図６は固定子の要部断面の拡大斜視図である。
【００６５】
本発明の実施の形態は、図６に示すように、樹脂材として、絶縁ワニス１８４をコイルエンド１７０ａに滴下含浸または、刷毛などで塗布し、その後、乾燥して固着し、コイルエンド１７０ａを被覆した構成としたものである。
【００６６】
本発明の形態では、実施の形態１と同様に、コイルエンドへの作用媒体の浸入を防ぐことができ、電動機部が異常に発熱して固定子巻線のコイルエンドでレイヤーショートが生じても、レイヤーショートが発生した部位に作用媒体が存在することがないため、レイヤーショートによる高エネルギー源が作用媒体と接触せず、不均化反応の発生を防止することができる。
【００６７】
特に本実施の形態では、コイルエンド１７０ａを樹脂を主成分とするワニスで含浸したものであり、コイルエンド１７０ａを被覆した構成であり、簡易な工法で不均化反応の発生をより確実に防止することができる。
【００６８】
なお、上記以外の構成及び作用効果は実施の形態１と同様であり、説明は省略する。  
【００６９】
また、コイルエンドを被覆する樹脂材１８１は、絶縁樹脂、例えばポリイミド樹脂、フェノール樹脂、アルキッド樹脂、エラストマー等で形成することで、絶縁部材で被覆されている固定子巻線の絶縁性能を高め、レイヤーショートの発生そのものを抑制する効果が高まり、不均化反応の発生を防止して、信頼性を大きく向上させることができる。
【００７０】
以上のように、本実施の形態の冷凍サイクル装置は不均化反応の発生を防止できる。
【００７１】
なお、本発明について冷凍サイクル装置を空気調和機とした場合を例にして説明したが、これは圧縮機、凝縮器、膨張手段、および蒸発器等の構成要素が配管にて接続された冷凍サイクル装置であれば具体的な適用例は特に限定されず、例えば、冷蔵庫（家庭用、業務用）、除湿器、ショーケース、製氷機、ヒートポンプ式給湯機、ヒートポンプ式洗濯乾燥機、自動販売機等であってもよいものである。
【００７２】
また、本実施の形態では、圧縮機として、ロータリ式圧縮機を例にして説明したが、これは他の圧縮形式、例えば、スクロール式、レシプロ式などの容積式圧縮機、もしくは、遠心式圧縮機等、いずれの圧縮機であってもよいものである。
【産業上の利用可能性】
【００７３】
上述したように本発明は、ＨＦＯ１１２３を含む作動媒体を用いた冷凍サイクル装置の信頼性を向上させることができる。したがって、住居及び業務用の各エアコン、カーエアコン、給湯器、冷凍冷蔵庫、ショーケース、除湿機等の用途に幅広く適用することができる。
【符号の説明】
【００７４】
１０  冷凍サイクル装置
１１  室内機
１２  室外機
１３  配管
１４  熱交換器
１５  熱交換器
１６  圧縮機
１７  減圧装置
１８  制御器
１９  四方弁
２０  外部電源
１６１  密閉容器
１６１ａ  胴シェル
１６２  電動機部
１６３  圧縮機構部
１６４  貯油部
１６５  クランクシャフト
１６６  回転子
１６７  固定子
１６７ａ  端面
１７０  固定子巻線
１７０ａ  コイルエンド
１７１  リード線
１７２  給電ターミナル
１７３  圧縮室
１７４  シリンダ
１７６  吐出マフラー
１７７  容器内空間
１７８  吐出管
１７９  吸入管
１８０  アキュームレータ
１８１  樹脂材
１８２  熱収縮フィルム
１８３  ディッピング樹脂
１８４  絶縁ワニス
【図１】
2020188640.tif 000003
【図２】
2020188640.tif 000004
【図３】
2020188640.tif 000005
【図４】
2020188640.tif 000006
【図５】
2020188640.tif 000007
【図６】
2020188640.tif 000008